(57)【要約】【課題】袋状密封容器では、被充填物を一時に取り出したり流し出したりすることは出来るものの、適量ずつを断続的に取り出したり、少量ずつを流し出して広い範囲に注ぎかけたりすることは出来ない。殊に、容量が十数ml程度の小さなものでは開封するときに被充填物が零れ出る不具合があり、手指を汚すことも多いし、少量ずつを目的物に注ぎかけることは到底出来ない点である。【解決手段】プラッチック製フィルムを重ね合わせ、又はプラッチック製フィルムを折り重ねて、その周縁を接合することにより形成した密封容器の上部に幅が15mm以下の流路を形成し、密封容器を開封すると流路の上端部分が開口して、容器室に収納された被充填物が流路を通ってその開口端から出されるように構成した。【選択図】図２
2006199347.tif 000002
【特許請求の範囲】
【請求項１】
２枚のプラッチック製フィルムを重ね合わせ、又はプラッチック製フィルムを折り重ねて、その周縁を接合することにより形成した密封容器の上部に幅が15mm以下の流路を形成し、密封容器を開封すると流路の上端部分が開口して、容器室に収納された被充填物が流路を通ってその開口端から出されるように構成したことを特徴とする袋状密封容器。
【発明の詳細な説明】
【技術分野】
【０００１】
本発明は、液状物やペースト状物などを充填するプラッスチックフィルム製の小形の袋状密封容器に関するものである。
【背景技術】
【０００２】
プラッスチックフィルム製の袋状密封容器は４辺形の二枚のフィルムを重ね合わせ、或いはフィルムを二つに折り合わせて周縁を接合させることにより形成したものである。
この袋状密封容器は、云わば使い切りの容器であって、これを開封したときは被充填物を一時に取り出し、又は流し出して使い切ってしまうものを充填しておくようになっている。
ところで被充填物によっては適量ずつを断続的に取り出したり、少量ずつを押し出したり流し出したりして広い範囲に注ぎかけたりすることが好ましいものもある。
しかしながら従来の袋状密封容器は、図１に示すように密封容器１の上縁のシール縁11の若干下位の仮想線により示す線を切断線13に見立てて、鋏などを用いてここを切断したり、側縁の適所に予めノッチ12を入れておいてこれを起点にして引き裂いたりしてシール縁11を切り離すことにより開封するようになっている。
そのためこの袋状密封容器は被充填物を一時に取り出したり流し出したりすることは出来るものの、適量ずつを断続的に取り出したり、少量ずつを流し出して広い範囲に注ぎかけたりすることは出来ない。
袋状密封容器は、片方の手の親指と人差し指で上部を挟んで抓み、他方の手でその上位を切り開くものであるから、容量が十数ml程度以下の小さなものでは開封するときに被充填物が零れ出る不具合があり、手指を汚すことも多いし、少量ずつを目的物に注ぎかけることは到底出来ないものであった。
【発明の開示】
【発明が解決しようとする課題】
【０００３】
解決しようとする問題点は、従来の袋状密封容器では、被充填物を一時に取り出したり流し出したりすることは出来るものの、適量ずつを断続的に取り出したり、少量ずつを流し出して広い範囲に注ぎかけたりすることは出来ない。
殊に、容量が十数ml程度の小さなものでは開封するときに被充填物が零れ出る不具合があり、手指を汚すことも多いし、少量ずつを目的物に注ぎかけることは到底出来ない点である。
【課題を解決するための手段】
【０００４】
本発明は、袋状密封容器の上位に流路を形成してこれを被充填物を取り出す時のノズルとして機能するようにしたことを最も主要な特徴とする。
【発明の効果】
【０００５】
本発明の袋状密封容器は、容器室（被充填物を収納する部分）から上位のシール縁にまで達する流路を形成したことにより、容器を開封するとその先端が被充填物の押し出し口、或いは注ぎ出し口となり、被充填物を袋状密封容器から適量ずつ、断続的に取り出したり、少量ずつを流し出して広い範囲に注ぎかけたりすることは出来るようなり、適正な量の被充填物を得ることが出来るだけでなく、袋状密封容器を被充填物の押し出し具や注ぎ出し具としても利用することが出来る、と云う効果がある。
【発明を実施するための最良の形態】
【０００６】
被充填物を袋状密封容器から適量ずつ、断続的に取り出したり、少量ずつを流し出して広い範囲に注ぎかけたりすることは出来るようすると共に、容量が十数ml程度以下の小形の容器であっても、開封するときに被充填物が零れ出たり、手指を汚すこともなく、しかも適正な量の被充填物を取り出すことが出来る袋状密封容器を提供する、と云う目的を袋状密封容器に被充填物の流路を形成したことにより実現した。
【実施例１】
【０００７】
図２は、本発明に係る袋状密封容器の一実施例を示す説明図であって、符合２は密封容器である。
この密封容器２は、４辺形の二枚のフィルムを重ね合わせて周縁を接合させたもので、４辺にシール縁21、22、23、24が形成されてその中が容器室３となっており、通常のこの種の袋状密封容器と同じく上縁のシール縁21の若干下位を切断したり、引き裂いたりして上位のシール縁21を切り離すことにより開封するようになっている。
また、この密封容器２は、容器室３の上部を15mm程度以下の、指で挟むことのできる範囲の幅に狭めて、流路４を形成してある。
この流路４は、上位のシール縁21まで達していて、密封容器２を開封するとその上端部が開口して、被充填物が容器室３からこの流路４を通って排出されることとなる。
即ちこの密封容器２は、被充填物を押し出したり流し出したりするときはこれがノズルとして、その開口端がノズル口として機能して、排出量を規定するものであり、また、流路４を指で挟むとこれが塞がるので、密封容器２を開封するときに流路４を指で挟んでそれを行うと、被充填物が零れ出ることが全くない。
この点からして流路４は、幅や長さなどの寸法や形状については限定はない。
要は、指で挟むことにより塞ぐことの出来る範囲の幅（15mm程度以下）であり、且つ、適当な量の被充填物を押し出したり流し出したりすることの出来る寸法であり、その寸法は密封容器２の大きさや充填する被充填物の量や粘度などにより決められるのである。
【０００８】
図３は、袋状密封容器の他の一例を示す。
この密封容器５は、二倍幅のプラッチック製フィルムを折り合わせて、その周縁を接合してシール縁51、52、53を形成したものであり、通常のこの種の袋状密封容器と同じく、上位のシール縁51より若干下位を鋏などで切断したり、予め適宜な位置にノッチを入れておいてここから引き裂くことにより収納容器を開封するようになっている。
この密封容器５も、上記した密封容器２と同じく容器室６の上位に流路７を形成してある。
図に示す密封容器６は流路７の勾配を大きくし、上端部分の幅を２〜３mmして、切断する位置a、b、ｃを変えることによりノズル口の大きさを変えて、より適切な量の被充填物を注ぎ出すことが出来るようにして、十数ml程度の被充填物を対象とする小容量の容器に適したものにしてある。
【０００９】
密封容器を開封するときは流路４、７の位置を片方の手の親指と人差し指で挟んで抓む。
すると密封容器は必然的に流路が塞がれるので、その状態で容器の上位の所定の位置を切り開くのである。
【産業上の利用可能性】
【００１０】
２枚のプラッチック製フィルムを重ね合わせ、又は折り重ねて、その周縁を接合することにより形成した袋状密封容器の容器室の上部を狭めて流路を形成してこれをノズルとして機能させたもので、液状物やペースト状物などの使い切りの材料の容器として広く利用することが出来る。
尚、本密封容器は液状物やペースト状物を対象とするだけでなく、例えば食卓塩や粉山椒のような粉粒状物の容器としても同様に適用することが出来る。この場合容器は振り掛け具として利用することが出来るのである。
【図面の簡単な説明】
【００１１】
【図１】袋状密封容器の一例を示す平面図である。
【図２】本発明に係る袋状密封容器の一例を示す平面図である。
【図３】本発明に係る袋状密封容器の他の一例を示す平面図である。
【符号の説明】
【００１２】
２    密封容器
21    シール縁
22    シール縁
23    シール縁
24    シール縁
３    容器室
４    流路
５    密封容器
51    シール縁
52    シール縁
53    シール縁
６    容器室
７    流路
【図１】
2006199347.tif 000003
【図２】
2006199347.tif 000004
【図３】
2006199347.tif 000005